(57)【要約】【課題】ストアスキャンの機能を有するとともに、低コスト、コンパクト、軽量、携帯に便利等の利点を備え、小型店舗のレジ等での使用により適する決済装置を提供する。【解決手段】本明細書における実施例により、決済装置に適用するケース及び決済装置が開示される。前記ケースは、決済装置に適用するものであり、上面の中心に第１開口が設けられる上ケースと、前記上ケースの下方に位置し、前記上ケースと合わせて決済装置の本体ユニットの格納スペースを形成する下ケースと、前記上ケースの上面に設置されるとともに、前記第１開口を覆うレンズとを有し、前記ケースの高さが前記ケースの幅の二分の一より小さい。前記決済装置は、上記のケースを有し、ケース内に設置される撮像カメラユニットとメイン制御ユニットとをさらに有する。【選択図】図１
2020140712.tif 000002
【特許請求の範囲】
【請求項１】
決済装置に適用するケースであって、
上面の中心に第１開口が設けられる上ケースと、
前記上ケースの下方に位置し、前記上ケースと合わせて決済装置の本体ユニットの格納スペースを形成する下ケースと、
前記上ケースの上面に設置されるとともに、前記第１開口を覆うレンズとを有し、
前記ケースの高さが前記ケースの幅の二分の一より小さい
ことを特徴とする決済装置に適用するケース。
【請求項２】
前記ケースの高さが前記ケースの幅の四分の一より小さいことを特徴とする請求項１に記載の決済装置に適用するケース。
【請求項３】
前記上ケースの上面に設けられ、前記第１開口の周辺に位置する第２開口と、
前記上ケースの上面に位置し、前記第２開口に嵌入する導光体と
をさらに有することを特徴とする請求項１に記載の決済装置に適用するケース。
【請求項４】
前記第２開口は、少なくとも１組みのサブ開口を含んで構成され、前記少なくとも１組みのサブ開口における各組みのサブ開口が、前記第１開口に向かう矢印状に形成されることを特徴とする請求項３に記載の決済装置に適用するケース。
【請求項５】
前記少なくとも１組みのサブ開口が少なくとも１つのサブ開口を含み、前記少なくとも１つのサブ開口が山形に形成され、同一組みのサブ開口における各サブ開口の二等分線が同一線上にあることを特徴とする請求項４に記載の決済装置に適用するケース。
【請求項６】
前記導光体は、前記各組みのサブ開口の形状に対応する突起部を有し、前記突起部が相応のサブ開口に嵌入されることを特徴とする請求項５に記載の決済装置に適用するケース。
【請求項７】
前記レンズは、透明領域と非透明領域とを含み、前記透明領域と前記第１開口とが重ねて設置されることを特徴とする請求項１に記載の決済装置に適用するケース。
【請求項８】
前記上ケースの側面に第１切り欠きが設けられることを特徴とする請求項１に記載の決済装置に適用するケース。
【請求項９】
前記下ケースに、前記第１切り欠きと対応する第２切り欠きが設けられ、前記第１切り欠きと前記第２切り欠きとが合わせてデータ転送用ケーブルの出線口を形成することを特徴とする請求項８に記載の決済装置に適用するケース。
【請求項１０】
前記上ケースの上面の周辺に、前記上面から円滑に延在する突起を有することを特徴とする請求項１に記載の決済装置に適用するケース。
【請求項１１】
平面図において前記ケースは円弧状面取部を有する矩形を呈することを特徴とする請求項１に記載の決済装置に適用するケース。
【請求項１２】
前記上ケースの側面に円弧状凹部が設けられるとともに、前記下ケースに前記円弧状凹部と対応する円弧状凸部が設けられることを特徴とする請求項１１に記載の決済装置に適用するケース。
【請求項１３】
前記下ケースの底部にいくつの音放出孔が設けられることを特徴とする請求項１に記載の決済装置に適用するケース。
【請求項１４】
前記下ケースの底部に第３開口が設けられ、前記第３開口の中間に縦柱が設けられることを特徴とする請求項１に記載の決済装置に適用するケース。
【請求項１５】
前記下ケースは、底部の外面に滑り止めが設置されることを特徴とする請求項１に記載の決済装置に適用するケース。
【請求項１６】
前記上ケースと前記下ケースとが固定ボルトにより接続されることを特徴とする請求項１に記載の決済装置に適用するケース。
【請求項１７】
前記上ケースの上方に設置される透明カバーをさらに有することを特徴とする請求項１に記載の決済装置に適用するケース。
【請求項１８】
前記透明カバーの上面から前記レンズまでの距離は、前記レンズの下方に設置される撮像カメラの最小焦点距離以上であることを特徴とする請求項１７に記載の決済装置に適用するケース。
【請求項１９】
前記透明カバーは、側面の下部に出線口を有することを特徴とする請求項１７に記載の決済装置に適用するケース。
【請求項２０】
前記透明カバーは、上面の周辺に突起を有することを特徴とする請求項１７に記載の決済装置に適用するケース。
【請求項２１】
請求項１〜２０のいずれか１項に記載のケースを有し、前記ケース内に設置される撮像カメラユニットとメイン制御ユニットとをさらに有することを特徴とする決済装置。
【発明の詳細な説明】
【技術分野】
【０００１】
本発明は、モバイル決済の分野に属し、具体的に、決済装置に関し、さらに具体的に、コンパクトで、低コストで、携帯型の決済装置に適用するケース及び決済装置に関する。
【背景技術】
【０００２】
現在、市場でよく見られるコード読み取り決済装置は、さまざまあり、内蔵式、縦式、横式等がある。そして、例えば広告効果又は複数の決済方式で決済可能等の機能を有する複数の機能モジュールが配置されるものが一般的である。コード読み取り決済の便利さがますます消費者に重視されることにしたがって、ストアスキャン型の決済装置に対する需要が増えつつある。しかしながら、従来の決済装置は、体積が大きく、携帯性が悪く、製造コストが高い問題が浮かび上がってくる。
【発明の概要】
【０００３】
本発明は、ストアスキャンの機能を有するとともに、低コスト、コンパクト、軽量、携帯に便利等の利点を備え、小型店舗のレジ等での使用により適する決済装置を提供することを目的とする。
【０００４】
本明細書における実施例による決済装置に適用するケースは、上面の中心に第１開口が設けられる上ケースと、前記上ケースの下方に位置し、前記上ケースと合わせて決済装置の本体ユニットの格納スペースを形成する下ケースと、前記上ケースの上面に設置されるとともに、前記第１開口を覆うレンズとを有し、前記ケースの高さが前記ケースの幅の二分の一より小さい。
【０００５】
前記ケースの高さが前記ケースの幅の四分の一より小さい。
【０００６】
前記ケースは、前記上ケースの上面に設けられ、前記第１開口の周辺に位置する第２開口と、前記上ケースの上面に位置し、前記第２開口に嵌入する導光体とをさらに有する。
【０００７】
前記第２開口は、少なくとも１組みのサブ開口を含んで構成され、前記少なくとも１組みのサブ開口における各組みのサブ開口が、前記第１開口に向かう矢印状に形成される。
【０００８】
前記少なくとも１組みのサブ開口が少なくとも１つのサブ開口を含み、前記少なくとも１つのサブ開口が山形に形成され、同一組みのサブ開口における各サブ開口の二等分線が同一線上にある。
【０００９】
前記導光体は、前記各組みのサブ開口の形状に対応する突起部を有し、前記突起部が相応の前記各組みのサブ開口に嵌入される。
【００１０】
前記レンズは、透明領域と非透明領域とを含み、前記透明領域と前記第１開口とが重ねて設置される。
【００１１】
前記上ケースの側面に第１切り欠きが設けられる。
【００１２】
前記下ケースに、前記第１切り欠きと対応する第２切り欠きが設けられ、前記第１切り欠きと前記第２切り欠きとが合わせてデータ転送用ケーブルの出線口を形成する。
【００１３】
前記上ケースの上面の周辺に、前記上面から円滑に延在する突起を有する。
【００１４】
平面図において前記ケースは円弧状面取部を有する矩形を呈する。
【００１５】
前記上ケースの側面に円弧状凹部が設けられるとともに、前記下ケースに前記円弧状凹部と対応する円弧状凸部が設けられる。
【００１６】
前記下ケースの底部にいくつの音放出孔が設けられる。
【００１７】
前記下ケースの底部に第３開口が設けられ、前記第３開口の中間に縦柱が設けられる。
【００１８】
前記下ケースは、底部の外面に滑り止めが設置される。
【００１９】
前記上ケースと前記下ケースとが固定ボルトにより接続される。
【００２０】
前記ケースは、前記上ケースの上方に設置される透明カバーをさらに有する。
【００２１】
前記透明カバーの上面から前記レンズまでの距離は、前記レンズの下方に設置される撮像カメラの最小焦点距離以上である。
【００２２】
前記透明カバーは、側面の下部に出線口を有する。
【００２３】
前記透明カバーは、上面の周辺に突起を有する。
【００２４】
本明細書における実施例による決済装置は、上記のケースを有し、前記ケース内に設置される撮像カメラユニットとメイン制御ユニットとをさらに有する。
【００２５】
本明細書における実施例は上記の少なくとも１つの技術案を用いることにより、少なくとも下記の有益効果を有する。
【００２６】
低コストの決済装置が提供され、ストアスキャンの基本的な機能を保ちながら、非接触式の銀行カードによる決済及びユーザスキャンによるコード読み取り決済の機能を外し、低コストの部品を用いるので、製品の製造コストを大幅に低減し、店舗側の設備投資額を抑えることができる。
【００２７】
コンパクトで、軽量で、全体のフットプリントが小さく、携帯に便利な、決済装置に適用するケース及び該当する決済装置が提供され、小型店舗のレジでの使用により適する。
【００２８】
外観が整然で、円弧状設計でよりファッション性を有する決済装置に適用するケース及び該当する決済装置が提供され、現代社会の発展の趨勢により適する。
【図面の簡単な説明】
【００２９】
ここで説明する図面は、本出願の一部として、本出願の更なる理解を提供するためのものであり、本出願の例示的な実施例及びその説明は、本出願を解釈するためのものであり、いずれも本出願を限定するものではない。
【００３０】
【図１】本出願の第１実施例による決済装置に適用するケースの分解図である。
【図２】本出願の第１実施例によるケースにおける上ケースの模式図である。
【図３】本出願の第１実施例によるケースにおける下ケースの模式図である。
【図４】本出願の第１実施例によるケースにおけるレンズの模式図である。
【図５】本出願の第１実施例によるケースにおける導光体の模式図である。
【図６】本出願の第２実施例による決済装置に適用するケースの分解図である。
【図７】本出願の第２実施例によるケースにおける透明カバーの模式図である。
【図８】本出願の実施例による決済装置の分解図である。
【発明を実施するための形態】
【００３１】
本出願の目的、技術案及び利点をより明瞭にするため、以下、本出願の具体的な実施例及び該当図面を参照しながら、本出願の技術案を明瞭かつ完全に説明する。説明する実施例は本出願の一部の実施例にすぎず、すべての実施例ではないことが無論である。本出願の実施例をもとに、当業者が発明能力を用いることなく得られたすべてのその他の実施例も、本出願の保護範囲に属する。
【００３２】
「略」、「約」及びその他の類似の用語は、程度を表す用語ではなく近似を表すものとして用いられる。そして、当業者が認める測定、計算及び／又は提供される数値の固有誤差を解釈するためのものである。本出願では、「円弧状面取部」とは、２つの面同士又は２本の線同士が円滑に接続されることを指しており、例えば円弧で接続される。以下、図面を参照しながら、本出願における各実施例による技術案を詳細に説明する。
【００３３】
図１は、本出願の第１実施例による決済装置に適用するケース１００の分解図である。
【００３４】
本出願の第１実施例による決済装置に適用するケース１００は、図１に示すように、上ケース２と、下ケース５と、レンズ４とを有する。図１において導光体３が示されているが、ケース１００が導光体３を含まなくてもよい。
【００３５】
具体的に、下ケース５は、上ケース２の下方に位置するとともに、上ケース２と合わせて決済装置の本体ユニットの格納スペースを形成する。上ケース２の上面の中心に開口２０４が設けられる。レンズ４は、上ケース２の上面に設置され、開口２０４を覆うように構成される。
【００３６】
本出願の第１実施例において、ケース１００は、全体の外形として略扁平柱状又は略扁平錐台状を呈し、平面図においてケース１００の外形が略円形又は略多角形を呈するものである。例えば、平面図においてケース１００の外形は円弧状面取部を有する矩形を呈してもよいが、これに限定されない。
【００３７】
本出願では、ケース１００の幅は、平面図においてケースの外形が略矩形を呈する場合、矩形の任意の辺の長さを指し、平面図においてケースの外形が略円形を呈する場合、円形の直径を指す。
【００３８】
本出願の第１実施例によるケース１００は、図１に示すように、高さが幅より小さい。ケース１００は、高さが幅の二分の一より小さいことが好ましい。このような設計は、コード読み取り決済の機能を実現する基本的な本体ユニットの取付寸法を保ちながら、ケース１００の高さを減らすことによって、装置のコンパクト化及びコストの低減を実現することができる。
【００３９】
ケース１００の高さはケース１００の幅の三分の一より小さいことが好ましい。ケース１００の高さはケース１００の幅の四分の一より小さいことがより好ましい。ケース１００の高さがケース１００の幅の四分の一より小さいとき、ケース１００は、全体の外形として扁平状を呈し、例えば、クッキーに近似する形状となる。これによって、携帯性がよりよく、よりコンパクトなものとなり、製造コストもより低くなる。
【００４０】
発明の実施例による決済装置に適用するケースは、従来技術と比べて、高さ及び全体寸法が比較的に小さくなり、全体のフットプリントが小さくなるとともに、軽量で、製造コストが低く、携帯性がよくなるので、小型店舗のレジでの使用により適する。
【００４１】
以下、図１〜図５を参照しながらケース１００の構成を詳細に説明する。
【００４２】
本出願の実施例によるケース１００は、図１に示すように、平面図において円弧状面取部を有する矩形を呈し、好ましくは、円弧状面取部を有する正方形を呈する。
【００４３】
図２〜図５は、本出願の第１実施例によるケース１００の上ケース２、下ケース５、レンズ４及び導光体３の構成をそれぞれ示すものである。
【００４４】
図２は、本出願の第１実施例によるケース１００の上ケース２の模式図である。図２において、（ａ）、（ｂ）、（ｃ）及び（ｄ）は、上ケース２の平面図、側面図、底面図、及び平面図（ａ）におけるＡ−Ａ線に沿う断面図をそれぞれ示すものである。
【００４５】
本出願の第１実施例による上ケース２は、図１と図２に示すように、上面と側面を有する筐体であり、平面図において上ケース２が円弧状面取部を有する矩形を呈し、好ましくは、円弧状面取部を有する正方形を呈するものであるが、上ケース２の形状がこれに限定されない。例えば、平面図において上ケース２が円形又は楕円形等の形状を呈してもよい。
【００４６】
図２に示すように、第１実施例における上ケース２は、上面の中心に開口２０４が設けられる。開口２０４は、円形を呈し、階段状構成になっている。開口２０４は撮影孔とすることが可能である。開口２０４は、レンズ４により覆われる。レンズ４を用いて開口２０４を覆うことによって、埃等のごみが開口２０４を通ってケース１００の内部に侵入することを防止できる有益効果を有する。
【００４７】
第１実施例における上ケース２は、図２に示すように、上面に、開口２０４の周辺に位置する開口２０５が設けられる。具体的に、開口２０５は、少なくとも１組みのサブ開口からなり、前記少なくとも１組みのサブ開口が少なくとも１つのサブ開口かるなる。前記少なくとも１組みのサブ開口は、それぞれ開口２０４に向かう矢印状に形成される。開口２０５は、対称となる矢印状の２組みのサブ開口を有することが好ましい。より具体的に、各サブ開口は、山形（例えば、１８０°より小さい角を有する山形）に形成され、同一組みのサブ開口における各サブ開口の二等分線が同一線上にあるように構成される。これによって、各組みのサブ開口が全体として矢印状の形状に形成される。
【００４８】
第１実施例の開口２０５におけるサブ開口の位置、形状及び数はここで説明したものに限定されない。例えば、開口２０５は、１組み、又は３組み以上のサブ開口からなってもよい。各組みのサブ開口は、対称または非対称に開口２０４の周辺に設けられるとともに、開口２０４の中心に向かうように構成されてもよい。各サブ開口が山形以外のその他の適当な形状に形成されてもよい。また、各組みのサブ開口が全体として矢印状以外のその他の適当な形状に形成されてもよい。
【００４９】
開口２０５における各組みのサブ開口に導光体３が嵌入され、即ち、開口２０５は、導光体３を取り付けるために用いられることが可能である。開口２０５と導光体３との組み合せによって、決済装置の内部から外部へ投光する。
【００５０】
開口２０５を開口２０４の周辺に設けることによって、少なくとも、導光体３から出射した光で開口２０４の位置を示す役割を果たし、即ち、コードを読み取る位置を示す役割を果たす有益効果を有する。さらに、開口２０５を、開口２０４に向かう矢印状に形成されることが好ましい。これによって、少なくとも、導光体３から出射した光の指示がなくても「矢印状」により開口２０４の位置を効果的に示すことができ、即ち、コードを読み取る位置を示す役割を果たす有益効果を有する。さらに、各サブ開口が二等分線が同一線上にある山形に形成されることによって、開口２０５の設計がより目立ち、よりよく指示する役割を果たすことができる。
【００５１】
図１と図２に示すように、本出願の第１実施例による上ケース２の上面の周辺には、上面から上へ円滑に延在する突起を有してもよい。つまり、上ケース２の上面の周辺の内側が窪んだ円弧面２０１として形成されることができる。該円弧面２０１によって、コード読取領域を制限する役割を果たす一方、見栄えもよくなる。
【００５２】
図３は、本出願の第１実施例によるケース１００における下ケース５の模式図である。図３において、（ａ）、（ｂ）及び（ｃ）は、下ケース５の平面図、側面図及び底面図をそれぞれ示すものである。
【００５３】
本出願の実施例による下ケース５は、図１に示すように、上ケースの下側に位置するとともに、上ケース２に固定され、上ケース２と合わせて決済装置の本体の格納スペースを形成する。
【００５４】
下ケース５の底部には、ひもを通してコード読取装置をかける又は持ち歩くための１本の縦柱５０６を有する中空の孔５０５を有する。下ケース５の底部に、スピーカーの音を放出するためのいくつの音放出孔５０４が開設される。音放出孔５０４は円形に形成されることが好ましい。また、下ケース５の底部に、ブザーを格納するためのスペースがさらに設けられる。
【００５５】
図１に示すように、下ケース５の底部の外面に、コード読取装置を固定するための滑り止め６が設置され、例えば円形のゴム製の滑り止めが挙げられる。
【００５６】
図１、図２及び図３に示すように、上ケース２の側面に切り欠き２０３が設けられ、下ケース５に切り欠き２０３に対応する切り欠き５０２が設けられ、切り欠き２０３と切り欠き５０２が合わせられて電源データ転送用ケーブルの接続口／出線口として利用される。実施例において、切り欠き２０３と切り欠き５０２は、互いに合わせられる半円形を呈しているが、これに限定されない。また、電源データ転送用ケーブルの接続口として用いられる切り欠きは、下ケース５に設けられず、上ケース２のみに設けられるように設計されてもよい。また、データ転送用ケーブルの出線口が、上ケース２の切り欠き２０３と下ケース５の切り欠き５０２を合わせて形成されることによって、データ転送用ケーブルと装置との接続がより安定、確実になる。
【００５７】
上ケース２の側面の下部に円弧状凹部２０２が設けられ、下ケース５に円弧状凹部２０２と対応する円弧状凸部５０１が設けられ、前記円弧状凸部５０１と前記円弧状凹部２０２とはラジアンが同じである。円弧状凹部２０２と円弧状凹部２０２とからなる構成により、ケース１００の構成がより強固になり、見栄えがよい。なお、上ケース２と下ケース５との側面に、互いに合わせることでより強固及び／又は見栄えよくなるその他の凹凸構成が設けられてもく、ここで説明した形状に限定されない。
【００５８】
上ケース２は、下ケース５と決済装置の本体ユニット（例えば、撮像カメラユニット、メイン制御ユニット等）等の部品を固定するためのいくつの固定ボルト２０６をさらに有する。下ケース５の内部に、固定ボルト２０６と合わせて使用されて上ケース２と固定するためのいくつの貫通孔５０３をさらに有する。上ケース２と下ケース５を固定ボルトにより接続するように、下ケース５に固定ボルトが設置され、上ケース２に該固定ボルトと合わせる貫通孔が設けられることが可能である。上ケース２と下ケース５との固定がこれに限定されない。例えば、上ケース２と下ケース５とは、スナップ、接着等の他の方法で接続されてもよい。固定ボルトによる接続は、接続が安定で取り外しが便利である利点がある。
【００５９】
図４は、本出願の第１実施例によるケース１００におけるレンズ４の模式図（平面図と側面図を含む）である。
【００６０】
本出願の第１実施例によるレンズ４は、図１に示すように、上ケース２の開口２０４を覆うものである。レンズ４は、上ケース２の開口２０４に嵌入される。レンズ４をより強固に設置するため、接着でレンズ４を上ケース２にさらに固定することが好ましい。
【００６１】
レンズ４は光を通すために用いられる。具体的に、上ケース２の内側に位置する撮像カメラがレンズ４を通してケース１００の外側にある決済用コード（即ち、決済用コードを表示する例えば携帯電話のような設備が発した光線はレンズ４を通して撮像カメラまで到達できる）を撮ることができる。また、レンズ４は、例えば埃のようなごみがケース１００に侵入することを防ぐことができる。
【００６２】
本出願の第１実施例によるレンズ４は、図４に示すように、透明領域４０１と非透明領域４０２とを含む。具体的に、透明領域４０１が決済用コードを撮像するための領域であり、非透明領域４０２がスクリーン印刷されてなる濃い色の非透光領域である。光線が透明領域４０１を通して撮像カメラに到達するように、透明領域４０１と上ケース２の開口２０４とが重ねて設置される。
【００６３】
本出願の実施例において、レンズ４は、ポリカーボネート（ＰＣ）材料の薄板からなるものであるが、これに限定されなく、任意のその他の適当な透明材料からなるものであってもよい。
【００６４】
図５は、本出願の第１実施例によるケース１００の導光体３の模式図（平面図、側面図、底面図を含む）である。
【００６５】
本出願の実施例による導光体３は、図５に示すように、上ケース２の内部に固定される。導光体３は、少なくとも、決済操作を指示するように、ケース１００の内側に設置されるＬＥＤライトが異なる色の及び／又は異なる点滅周波数で点滅する光を発するときにその光を通す役割を果たす。具体的な報知規則は、自由に設定されることができる。例えば、ＬＥＤライトが導光体３を介して常に点灯する白光を発するとき、設備が待機状態であることを報知し、ＬＥＤライトが導光体３を介して点滅する白光を発するとき、利用者が決済用コードを提示して決済操作を行うことができると報知し、ＬＥＤライトが導光体３を介して常に点灯する緑色の光を発するとき、決済成功を利用者に報知し、ＬＥＤライトが導光体３を介して常に点灯する赤色の光を発するとき、決済失敗を利用者に報知するように設定されることが可能である。
【００６６】
導光体３は、上面に突起部３０２を有し、突起部３０２の形状が上ケース２の開口２０５の形状と一致するように形成される。これによって、導光体３と上ケース２とを組み立てると、両者の上面がぴったりと揃えられることができる。例えば、突起部３０２は、開口２０５の形状と一致する矢印状を呈することができる。したがって、突起部３０２を有する構成によって、導光体３は、開口２０５を効果的に塞ぐことができるので、例えば埃のような異物がケース１００の内部に侵入することを防ぎ、保護の役割を果たすことができる。そして、ぴったりと揃えられた表面は、見栄えがよく、埃が溜まりにくくなる。
【００６７】
導光体３は、上ケース２の上面の内側に固定するため、突出した階段３０１を有する。導光体３は、ホットメルトにより上ケース２の内側に固定されることができる。
【００６８】
導光体３は、透明のアクリロニトリル−ブタジエン−スチレン共重合体（ＡＢＳ）材料からなるものであるが、これに限定されなく、任意のその他の適当な材料からなるものであってもよい。
【００６９】
本出願の実施例において、ケース１００の幅が約６ｃｍ〜約１２ｃｍとなり、ケース１００の高さが約１．５ｃｍ〜約１２ｃｍとなる。ケース１００の幅が約８ｃｍ〜約１０ｃｍとなり、ケース１００の高さが約２ｃｍ〜約１０ｃｍとなることが好ましい。ケース１００の幅が約８ｃｍとなり、ケース１００の高さが約２ｃｍ〜約４ｃｍとなることがより好ましい。ケース１００の幅が約８ｃｍとなり、ケース１００の高さが約２ｃｍとなることがさらに好ましい。本出願の実施例において、ケース１００の寸法は、約８ｃｍ×約８ｃｍ×約２ｃｍとなることが可能である。
【００７０】
図６は、本出願の第２実施例による決済装置に適用するケース２００の分解図である。
【００７１】
第２実施例による決済装置に適用するケース２００は、図６に示すように、透明カバー１と、上ケース２と、下ケース５と、レンズ４と、導光体３とを有する。上ケース２、下ケース５、レンズ４及び導光体３の構成が第１実施例と同様である。
【００７２】
図７は、本出願の第２実施例によるケース２００における透明カバー１の模式図である。図７において、（ａ）、（ｂ）、（ｃ）及び（ｄ）は、透明カバー１の平面図、側面図、底面図及び背面図をそれぞれ示すものである。
【００７３】
本出願の第２実施例による透明カバー１は、図６と図７に示すように、下部が開口される透明筐体であり、上ケース２の上方に設置される。透明カバー１は、全体透明又は上面のみ透明となることが可能である。透明カバー１は、ケース１００（上ケース２）の形状と一致する形状になってもよい。例えば、平面図において透明カバー１は、円弧状面取部を有する矩形の形状を呈してもよい。好ましくは、円弧状面取部を有する正方形の形状を呈する。
【００７４】
透明カバー１の上面は、コード読取領域１０１が形成され、コード読取領域１０１の寸法が通常の携帯電話のスクリーンの幅に相当するように形成されることが可能であるが、これに限定されない。例えば、決済用コードを読み取ることができる如何なる適宜の寸法であってもよい。本出願では、決済用コードは、１次元の決済用コード及び２次元の決済用コード等を含むが、これに限定されない。
【００７５】
透明カバー１の上面は、水平に形成されてもよく、人間工学に基づいて、支払い利用者が移動電子端末により２次元コードを提示して決済を行うときの角度に適する傾斜角度に形成されてもよい。傾斜角度が５°〜３０°に形成されることができる。なお、透明カバー１の上面を水平に形成させるか一定の傾斜角度を有するように形成させるかは、決済装置が支払い利用者の決済情報を読み取るときの便利さに応じて適当に調整することができる。これによって、決済装置の自由度及び適用性を向上させることができる。なお、決済情報を提供する決済方式は、支払い利用者が移動電子端末により２次元コードを提示する方式を含むが、これに限定されない。支払い利用者の身体的な特徴を識別して決済情報の入力を行う方式を含んでもよい。
【００７６】
透明カバー１は、透明カバー１の上面からレンズ４までの距離が、レンズ４下方に設置される撮像カメラの最小焦点距離以上となるように、一定の高さを有する。つまり、透明カバー１の高さにより、携帯電話のスクリーンは、撮像カメラから、決済用コードの画像をはっきりと撮ることができる一定の距離を離れる。これによって、利用者が適宜な位置を速く定めて決済操作を行うことに寄与できる。
【００７７】
透明カバー１の側面に、上ケース２の切り欠き２０３の位置に対応する切り欠き１０３が形成される。切り欠き１０３は、半円形に形成されてもよい。切り欠き１０３は、データ転送用ケーブルの出線口として用いられることができる。
【００７８】
透明カバー１の上面の周辺に２つの突起１０２が設けられ、突起１０２により、決済用コードを置くための概略位置を制限でき、そして、見栄えがよい。
【００７９】
図７に示すように、平面図において透明カバー１は円弧状面取部を有する矩形を呈する。即ち、透明カバー１の４つの側面の接続箇所に円弧状面取部１０４が設けられ、このようにして、装置が、より滑らかな手触り感を有し、持ちやすいとともに、見栄えがよりよくなる。
【００８０】
なお、第１実施例と第２実施例の相違点は、透明カバー１の存否である。第１実施例によるケース１００を使用する場合、利用者が自ら携帯電話から撮影孔までの距離を調整してコード読み取り決済を行うことができる。これによって、コード読み取り決済の基本的な機能を満たすとともに、低コスト、コンパクト、携帯に便利等の多くの利点を有する。第２実施例によるケース２００は、利用者が適宜な位置をより速く定めて決済操作を行うことに寄与できる。
【００８１】
図８は、本出願の実施例による決済装置３００の分解図である。
【００８２】
前記決済装置３００は、上記の第１実施例によるケース１００又は第２実施例によるケース２００を有することが好ましい。前記決済装置３００は、ケース１００又はケース２００内に設置される撮像カメラユニット７とメイン制御ユニット８等の決済装置本体ユニットをさらに有する。
【００８３】
撮像カメラユニット７は、上ケース２の開口２０４の下方に固定される。撮像カメラユニット７は、撮像カメラを含む。前記撮像カメラは、開口２０４を介して決済用コードを撮る。
【００８４】
メイン制御ユニット８は、上ケース２の内部かつ撮像カメラユニット７の下方に固定される。メイン制御ユニット８は、回路基板に設置される。メイン制御ユニット８は、決済装置の主要の制御モジュールとして機能し、複数の制御モジュールを含む。前記複数の制御モジュールは、少なくとも解析モジュール、通信モジュール、ライト制御モジュール及び音声制御モジュール等を含む。
【００８５】
解析モジュールは、撮像カメラユニット７が読み取った決済用コードを解析して決済情報を取得するものである。通信モジュールは、ネットワークと接続して関連の決済情報を受信したり確認情報を受信したりするものである。ライト制御モジュールは、既定の規則に従ってＬＥＤライトを点灯するように制御するものである。音声制御モジュールは、既定の規則に従ってスピーカーから音声指示を出力するように制御するものである。
【００８６】
決済装置３００を使用する際に、通信モジュールが、制御側から決済操作を実行する信号を受信し、ライト制御モジュールが、決済用コードを提示することを支払い利用者に促すように、例えば点滅する白光を出射するようにＬＥＤライトを制御し、撮像カメラユニット７が、開口２０４を介して支払い利用者が提示した決済用コードを読み取り、解析モジュールが、決済用コードを解析して決済情報を取得する。
【００８７】
さらに、決済用コードを解析したあと、通信モジュールが、解析して得た情報を代金受取用のサーバに送信し、サーバが、解析して得た情報に基づいて決済成功か否かを判断し、決済成功となった場合、ライト制御モジュールが、利用者に決済成功を報知するように、例えば常に点灯する緑色の光を出射するようにＬＥＤライトを制御し、解析できなくて決済情報を取得できなかった場合、ライト制御モジュールが、利用者に決済失敗を報知するように、例えば常に点灯する赤色の光を出射するようにＬＥＤライトを制御する。
【００８８】
決済装置３００は、スピーカー９とブザー（図示しない）等のその他のユニット又は部材をさらに有することが可能である。スピーカー９は、下ケースの内側かつ下ケース５の音放出孔５の位置に対応して設置され、メイン制御ユニット８と接続され、音声を出力するものである。ブザーは、下ケース５の内側に設置され、メイン制御ユニット８と接続され、報知音を出力するものである。
【００８９】
本出願の実施例では、利用者にコード読み取り決済を行うことを促すとき、メイン制御ユニット８は、利用者にコード読み取り決済を行うことを促すための第１音声報知情報を出力するようにスピーカー９を制御する。該第１音声報知情報は、例えば「支払いコードを提示してください」のような音声報知情報である。決済成功となったとき、メイン制御ユニット８は、利用者に決済成功を報知するための第２音声報知情報を出力するようにスピーカー９を制御する。該第２音声報知情報は、例えば「支払いは成功しました」のような音声報知情報である。決済失敗となったとき、メイン制御ユニット８は、利用者に決済失敗を報知するための第３音声報知情報を出力するようにスピーカー９を制御する。該第３音声報知情報は、例えば「支払いは失敗になりました。もう一度支払いコードを提示してください」のような音声報知情報である。上記の音声報知情報と上記の光報知情報が、択一的に使用されることが可能であるし、両方をともに使用されることも可能である。これによって、ＬＥＤライト及びスピーカー９のうちの一方が故障になっても、他方が独立してコートを読み取るときの状態を報知することができる。
【００９０】
実施例において、ブザーを利用してコード読み取り状態を報知することが可能である。例えば、コード読み取り成功となったとき、コード読み取り成功を報知するように、ブザーが例えば「ディ」のような報知音を出力する。コード読み取り失敗となったとき、コード読み取り失敗を報知するように、ブザーが例えば「ディ、ディ」のような報知音を出力する。これによって、ＬＥＤライト及び／又はスピーカー９が故障になっても、依然としてコードを読み取るときの状態を効果的に報知することができる。
【００９１】
実施例において、音声でコードを読み取る位置を調整する指示を利用者に報知することが可能である。これにより、コード読み取りの効率を向上させることができる。具体的に、例えば、利用者が提示した決済用コードの画像から本出願の決済装置までの距離が既設距離より小さいとき、決済用コードの画像を決済装置から離す指示を利用者に報知するように、例えば「携帯電話を少し上げてください」のような音声を出力する。利用者が提示した決済用コードの画像から本出願の決済装置までの距離が既設距離より大きいとき、決済用コードの画像を決済装置に近づける指示を利用者に報知するように、例えば「携帯電話を少し下げてください」のような音声を出力する。
【００９２】
本発明の実施例は、低コストの決済装置を提供し、ストアスキャンの基本的な機能を保ちながら、非接触式の銀行カードによる決済及びユーザスキャンによるコード読み取り決済の機能を外し、低コストの部品を用いるので、製品の製造コストを大幅に低減し、店舗側の設備投資額を抑えることができる。
【００９３】
本発明の実施例は、コンパクトで、軽量で、全体のフットプリントが小さく、携帯に便利な、決済装置に適用するケース及び該当する決済装置を提供し、小型店舗のレジでの使用により適する。
【００９４】
本発明の実施例は、外観が整然で、円弧状設計でよりファッション性を有する決済装置に適用するケース及び該当する決済装置を提供し、社会の発展の趨勢により適する。
【００９５】
なお、「有する」、「含む」といった用語およびそれらの変化形は、非排他的な包含を網羅するように意図される。一連の要素を含むプロセス、方法、商品または装置は、必ずしもこれらの要素に限定されず、明記されない、またはこれらのプロセス、方法、商品または装置に対して固有のその他の要素を含んでもよい。特に断りがない限り、「〜を含む」という表現で限定された要素について、前記要素を含むプロセス、方法、商品又は装置がその他の同様な要素も有している状況を除外しない。
【００９６】
上記の記載は、本出願の実施例にすぎず、本出願を限定するものではない。当業者は、本出願に対して各種の変更や変化を行うこと可能である。本出願の精神及び原理から逸脱しない限り、行った如何なる変更、均等置換、改良等も、いずれも本出願の保護範囲内に属する。
【図１】
2020140712.tif 000003
【図２】
2020140712.tif 000004
【図３】
2020140712.tif 000005
【図４】
2020140712.tif 000006
【図５】
2020140712.tif 000007
【図６】
2020140712.tif 000008
【図７】
2020140712.tif 000009
【図８】
2020140712.tif 000010